【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】  電子装置（１０２）と該電子装置に取り付けられた電池（１０３）との間でインタフェースを通じてディジタル直列通信を動作可能とする方法において、前記ディジタル直列通信はいくつかのビットを含むバイト（３００）の伝送を含み、各ビットは高レベルと低レベルのうちの１つのレベルによって定められ、各バイトの先頭ビット（３０４）は前記高レベルと前記低レベルのうちの一方の第１のレベルのものである前記方法であって、
前記先頭ビット（３０４）の直前の第１時間間隔（４０３、４０５）に前記高レベルと前記低レベルのうちの他方のレベルを伝送するステップを含むことを特徴とする方法。
【請求項２】  請求項１記載の方法であって、
前記高レベルと前記低レベルのうちの前記他方のレベルの末尾ビット（３１０）を備える各バイトを伝送するステップと、
前記末尾ビットに直ぐ続く第２時間間隔（４０５、４０６）に前記高レベルと前記低レベルのうちの前記他方のレベルを伝送するステップと
を更に含むことを特徴とする方法。
【請求項３】  請求項２記載の方法であって、少なくとも２つのバイトが互いに続いて伝送される場合に前記第１時間間隔と前記第２時間間隔との和は２つの連続するバイト間の待機状態を定めることを特徴とする方法。
【請求項４】  請求項３記載の方法であって、前記伝送の方向は前記待機状態中に変えられることを特徴とする方法。
【請求項５】  請求項４記載の方法であって、前記インタフェースを通じて一方向に伝送されたバイトは伝送の方向が変えられた後に反対方向に再伝送されることを特徴とする方法。
【請求項６】  請求項１又は請求項２記載の方法であって、前記第２時間間隔（４０６）がプリセット値を超えるならば、前記インタフェースはアイドル状態にセットされ前記アイドル状態において前記高レベルと前記低レベルのうちの一方の前記第１のレベルが伝送されることを特徴とする方法。
【請求項７】  請求項６記載の方法であって、アイドル状態の後に或る１つのバイトが第１バイトとして伝送されるとき前記第１時間間隔（４０４）は目覚め状態を定めることを特徴とする方法。
【請求項８】  電子装置（１０２）と、
前記電子装置に取り付けられた電池（１０３）と、
前記電子装置（１０２）と前記電池（１０３）との間でインタフェースを通じてディジタル直列通信を動作可能としかつ前記電子装置内の第１通信回路（１０８）と前記電池内の第２通信回路（１１７）とを含む手段と
を含む装置において、
前記ディジタル直列通信はいくつかのビットを含むバイト（３００）の前記第１通信回路と前記第２通信回路との間の伝送を含み、各ビットは高レベルと低レベルのうちの１つのレベルによって定められ、各バイトの先頭ビット（３０４）は前記高レベルと前記低レベルのうちの一方の第１のレベルのものである前記装置であって、
前記第１通信回路と前記第２通信回路のうちの少なくとも一方の回路は前記先頭ビットの直前の第１時間間隔（４０３、４０５）に前記高レベルと前記低レベルのうちの他方のレベルを伝送するように構成されていることを特徴とする装置。
【請求項９】  請求項８記載の装置であって、前記第１通信回路と前記第２通信回路のうちの少なくとも一方の回路は、
前記高レベルと前記低レベルのうちの前記他方のレベルの末尾ビット（３１０）を備える各バイトを伝送する手段と、
前記末尾ビットに直ぐ続く第２時間間隔（４０５、４０６）に前記高レベルと前記低レベルのうちの前記他方のレベルを伝送する手段と
を更に含むことを特徴とする装置。
【請求項１０】  請求項９記載の装置であって、少なくとも２つのバイトが互いに続いて伝送される場合に前記第１時間間隔と前記第２時間間隔との和は２つの連続するバイト間の待機状態を構成することを特徴とする装置。
【請求項１１】  請求項１０記載の装置であって、前記第１通信回路と前記第２通信回路のうちの少なくとも一方の回路は前記待機状態中に伝送の方向を変える手段を含むことを特徴とする装置。
【請求項１２】  請求項１１記載の装置であって、前記第１通信回路と前記第２通信回路のうちの少なくとも一方の回路は前記インタフェースを通じて一方向に伝送されたバイトを伝送の方向が変えられた後に反対方向に再伝送する手段を含むことを特徴とする装置。
【請求項１３】  請求項８又は請求項９記載の装置であって、前記第２時間間隔（４０６）がプリセット値を超えたならば、前記インタフェースはアイドル状態を取るように構成されており前記アイドル状態において前記高レベルと前記低レベルのうちの一方の前記第１のレベルが伝送されることを特徴とする装置。
【請求項１４】  請求項１３記載の装置であって、前記第２通信回路はアイドル状態の後に或る１つのバイトを第１バイトとして受信するのに先立ち前記第１時間間隔（４０４）によって定められた目覚め状態を取るように構成されていることを特徴とする装置。
【請求項１５】  請求項８乃至請求項１４のいずれか１項に記載の装置であって、前記電子装置はセルラ電話であることを特徴とする装置。
【請求項１６】  電池と電子装置との間でインタフェースを通じてディジタル直列通信を動作可能としかつ前記電池内に通信回路（１１７）を含む手段を含む前記電池において、
前記ディジタル直列通信はいくつかのビットを含むバイトの前記通信回路と前記電子装置との間の伝送を含み、各ビットは高レベルと低レベルのうちの１つのレベルによって定められ、各バイトの先頭ビット（３０４）は前記高レベルと前記低レベルのうちの一方の第１のレベルのものである前記電池であって、
前記通信回路（１１７）は前記先頭ビットの直前の時間間隔（４０３、４０５）に前記高レベルと前記低レベルのうちの他方のレベルを伝送するように構成されていることを特徴とする電池。
【請求項１７】  請求項１６記載の電池であって、前記通信回路は、
前記高レベルと前記低レベルのうちの前記他方のレベルの末尾ビット（３１０）を備える各バイトを伝送する手段と、
前記末尾ビットに直ぐ続く第２時間間隔（４０５、４０６）に前記高レベルと前記低レベルのうちの前記他方のレベルを伝送する手段と
を含むことを特徴とする電池。
【請求項１８】  請求項１７記載の電池であって、少なくとも２つのバイトが互いに続いて伝送される場合に前記第１時間間隔と前記第２時間間隔との和は２つの連続するバイト間の待機状態を構成することを特徴とする電池。
【請求項１９】  請求項１８記載の電池であって、前記通信回路は前記待機状態中伝送の方向を変える手段を含むことを特徴とする電池。
【請求項２０】  請求項１９記載の電池であって、前記通信回路は前記インタフェースを通じて一方向に伝送されたバイトを伝送の方向が変えられた後に反対方向に再伝送する手段を含むことを特徴とする電池。
【請求項２１】  請求項１６又は請求項１７記載の電池であって、前記第２時間間隔（４０６）がプリセット値を超えたならば、前記通信回路はアイドル状態を取るように構成されており前記アイドル状態において前記高レベルと前記低レベルのうちの一方の前記第１のレベルが伝送されることを特徴とする電池。
【請求項２２】  請求項２１記載の電池であって、前記通信回路はアイドル状態の後に或る１つのバイトを第１バイトとして受信するのに先立ち前記第１時間間隔（４０４）によって定められた目覚め状態を取るように構成されていることを特徴とする電池。
【手続補正２】
【補正対象書類名】明細書
【補正対象項目名】０００１
【補正方法】変更
【補正の内容】
【０００１】
本発明は、電子装置とこれに取り付けられた電池との間でインタフェースを通じてディジタル直列通信を動作可能とする方法に関し、前記ディジタル直列通信はいくつかのビットを含むバイトの伝送を含み、各ビットは高レベルと低レベルのうちの１つのレベルによって定められ、各バイトの先頭ビット（ｌｅａｄｉｎｇｂｉｔ）は前記高レベルと前記低レベルのうちの一方の第１のレベルのものである。更に、本発明は、電子装置とこれに取り付けられた電池を含む装置、及び電池に関する。
【手続補正３】
【補正対象書類名】明細書
【補正対象項目名】０００９
【補正方法】変更
【補正の内容】
【０００９】
本発明に従って、この目的は、その方法が前記先頭ビットの直前の第１時間間隔（ｐｅｒｉｏｄｏｆ ｔｉｍｅ）に前記高レベルと前記低レベルのうちの他方のレベルを伝送するステップを含むということで達成される。
【手続補正４】
【補正対象書類名】明細書
【補正対象項目名】００１１
【補正方法】変更
【補正の内容】
【００１１】
請求項２に記載されているように、本発明は、前記高レベルと前記低レベルのうちの他方のレベルの末尾ビット（ｔｒａｉｌｉｎｇｂｉｔ）を備える各バイトを伝送するステップ、及び前記末尾ビットに直ぐ続く第２時間間隔に前記高レベルと前記低レベルのうちの他方のレベルを伝送するステップを更に含むことがある。反対レベルの期間がバイトの末尾ビットにまた続くとき、インタフェースは或る状態にとどまりこの状態でインタフェースは次の状態が伝送されるのに対して用意を整える。
【手続補正５】
【補正対象書類名】明細書
【補正対象項目名】００１２
【補正方法】変更
【補正の内容】
【００１２】
請求項３に記載されているように、少なくとも２つのバイトが互いに続いて伝送される場合に前記第１時間間隔と前記第２時間間隔の和は２つの連続するバイト間の待機状態を定めることがある。この待機状態は、請求項４に記載されているように、伝送の方向を変えるのに使用されることがある。更に、請求項５に記載されているように、前記インタフェースを通じて一方向に伝送されたバイトは伝送の方向が変えられた後に反対方向に再伝送されることがあり、これが簡単な誤り検出を可能とする。
【手続補正６】
【補正対象書類名】明細書
【補正対象項目名】００１３
【補正方法】変更
【補正の内容】
【００１３】
請求項６に記載されているように、第２時間間隔がプリセット値を超えるならば、インタフェースはアイドル状態（ｉｄｌｅｓｔａｔｅ）にセットされこの状態において前記高レベルと前記低レベルのうちの一方の第１のレベルが伝送される。インタフェースをアイドル状態にセットすることによって、電池内に置かれた回路（ｃｉｒｃｕｉｔｒｙ）をターンオフすることが可能である。これはこの回路を伝送に必要なときに限り附勢することを意味し、それゆえ電池からのエネルギーを保存することができる。
【手続補正７】
【補正対象書類名】明細書
【補正対象項目名】００１４
【補正方法】変更
【補正の内容】
【００１４】
請求項７に記載されているように、アイドル状態の後に或る１つのバイトが第１バイトとして伝送されるとき、前記第１時間間隔は目覚め状態（ｗａｋｅ−ｕｐｓｔａｔｅ）を定めることがある。これは、そのバイトが伝送される前に電池内の回路がパワーアップ及び初期化用の時間を持つことを意味する。
【手続補正８】
【補正対象書類名】明細書
【補正対象項目名】００１５
【補正方法】変更
【補正の内容】
【００１５】
既述のように、本発明は、電子装置、これに取り付けられた電池、及び電子装置と電池との間でインタフェースを通じてディジタル直列通信を動作可能としかつ電子装置内の第１通信回路と電池内の第２通信回路を含む手段を含む装置に更に関し、前記ディジタル直列通信はいくつかのビットを含むバイトの前記第１通信回路と前記第２通信回路との間の伝送を含み、各ビットは高レベルと低レベルのうちの１つのレベルによって定められ、各バイトの先頭ビットは前記高レベルと前記低レベルのうちの一方の第１のレベルのものである。
【手続補正９】
【補正対象書類名】明細書
【補正対象項目名】００１６
【補正方法】変更
【補正の内容】
【００１６】
前記第１通信回路と前記第２通信回路のうちの少なくとも一方の回路が前記先頭ビットの直前の第１時間間隔に前記高レベルと前記低レベルのうちの他方のレベルを伝送するように構成されているとき、説明した限界を克服する能力のある上述の型式の装置、すなわち、実施するのが簡単でかつ安い装置が用意される。それゆえ、送信者ばかりでなく受信者にも通信の実施に対して用意を整えさせかつ通信の実際方向に対して調節させることを保証するのが非常に容易でかつ簡単である。
【手続補正１０】
【補正対象書類名】明細書
【補正対象項目名】００１７
【補正方法】変更
【補正の内容】
【００１７】
本発明の好適実施の形態は、請求項９から１４に説明されており、上述の利点を有する。更に、請求項１５に記載されているように、その電子装置は、好適には、セルラ電話であるといえる。
【手続補正１１】
【補正対象書類名】明細書
【補正対象項目名】００１８
【補正方法】変更
【補正の内容】
【００１８】
既述のように、本発明は、電池と電子装置との間でインタフェースを通じてディジタル直列通信を動作可能とする手段を含みかつ電池内に通信回路を含む電池に更に関し、前記ディジタル直列通信はいくつかのビットを含むバイトの前記通信回路と電子装置との間の伝送を含み、各ビットは高レベルと低レベルのうちの１つのレベルによって定められ、各バイトの先頭ビットは前記高レベルと前記低レベルのうちの一方の第１のレベルのものである。
【手続補正１２】
【補正対象書類名】明細書
【補正対象項目名】００１９
【補正方法】変更
【補正の内容】
【００１９】
前記通信回路は前記先頭ビットの直前の第１時間間隔に前記高レベルと前記低レベルのうちの他方のレベルを伝送するように構成されているとき、説明した限界を克服する能力のある上述のタイプの電池、すなわち、実施するのが簡単で安い電池が用意される。それゆえ、送信者ばかりでなく受信者にも通信の実施に対して用意を整えさせかつ通信の実際方向に対して調節させることを保証するのが非常に容易でかつ簡単である。
【手続補正１３】
【補正対象書類名】明細書
【補正対象項目名】００２３
【補正方法】変更
【補正の内容】
【００２３】
電子装置１０２は、次でまた第１通信手段と呼ばれるトランシーバ１０８と、マイクロコントローラ１０９を含む。トランシーバ１０８とマイクロコントローラ１０９はデータを交換するように構成されており、この交換はこの図に符号１１０と１１１によって図示してある。マイクロコントローラ１０９は、接続１１１を介してトランシーバ１０８へ情報を伝送することができる。同様に、接続１１０は、トランシーバ１０８からマイクロコントローラ１０９へデータを伝送するために使用することができる。トランシーバ１０８は、汎用非同期送受信器（ＵＡＲＴ）であってよい。
【手続補正１４】
【補正対象書類名】明細書
【補正対象項目名】００２６
【補正方法】変更
【補正の内容】
【００２６】
電子装置１０２に含まれたトランシーバ１０８は、接続１０６を介して電池１０３内のトランシーバ１１７に接続され、この接続はいくつかのビットを含むバイトの伝送を含むディジタル直列通信を第１通信手段と第２通信手段との間で動作可能とする。メモリ１１６は、いくつかのデータ情報、例えば、電池の識別番号、電池の最大容量、電池の現在容量等を記憶するように構成されている。
【手続補正１５】
【補正対象書類名】明細書
【補正対象項目名】００２７
【補正方法】変更
【補正の内容】
【００２７】
マイクロコントローラ１１４は、トランシーバ１１７、電池情報収集ユニット１１５、及びメモリ１１６に接続されている。電池情報収集ユニット１１５は、電池セル１１３に接続されており、かつ電池セル１１３から現在電池容量のような電池情報を検索するように構成されている。電池情報収集ユニット１１５は、マイクロコントローラ１１４によってその情報をマイクロコントローラ１１４へ伝送するように命令されると、そうするように構成されている。マイクロコントローラ１１４は、その情報をメモリ１１６に記憶しかつこれから検索し、かつその情報をトランシーバ１１７を介して電子装置１０２へ伝送するように構成されている。
【手続補正１６】
【補正対象書類名】明細書
【補正対象項目名】００２８
【補正方法】変更
【補正の内容】
【００２８】
図２は、電池１０３の部分とインタフェースする電子装置１０２の部分を例示しかつ図１に示した接続１０６と関連して電子装置１０２と電池１０３を接続するように構成された接続１０６を示す。図２の左側は電子装置１０２の部分を示すのに対して、図２の右側は電池１０３の部分を示す。この図に示したように、電子装置１０２と電池１０３は、インタフェース２０１によって接続されている。
【手続補正１７】
【補正対象書類名】明細書
【補正対象項目名】００２９
【補正方法】変更
【補正の内容】
【００２９】
電子装置１０２は、制御ユニット２０２と汎用非同期送受信器２０３、すなわち、いわゆるＵＡＲＴを含む。同様に、電池１０３は、制御ユニット２０４を含む。電子装置１０２と電池１０３は、インタフェース２０１を経由してデータを伝送するように構成されている。伝送は、プルアップ抵抗器２０７、スイッチ２０５、及びスイッチ２０６によって遂行される。電子装置内のスイッチ２０５は、制御ユニット２０２によって制御されるように接続されている。同様に、電池１０３内のスイッチ２０６は、制御ユニット２０４によって制御されるように接続されている。
【手続補正１８】
【補正対象書類名】明細書
【補正対象項目名】００３０
【補正方法】変更
【補正の内容】
【００３０】
スイッチ２０５とスイッチ２０６は、共に接地電位に接続されている。これは、制御ユニット２０２、２０４に、順ぐりにインタフェース２０１を通じて情報を伝送させる。電子装置１０２から電池１０３への情報の伝送は、制御ユニット２０２によって制御される。制御ユニット２０２は、スイッチ２０５を制御し、かつこれゆえ情報を電池１０３へ送信するように構成されている。例えば、スイッチ２０５が開のとき、プルアップ抵抗器２０７は通信線１０６の電位を高レベルへ引き上げる。他方、そのスイッチが閉のとき、通信線１０６の電位は低レベルにある。これゆえ、スイッチ２０５の位置を制御することによって、制御ユニット２０２は通信線１０６の電位を制御し、かつこの通信線が電池１０３に接続されているので、情報を電子装置１０２から電池１０３へ伝送することができる。
【手続補正１９】
【補正対象書類名】明細書
【補正対象項目名】００４２
【補正方法】変更
【補正の内容】
【００４２】
改訂情報は、支持された通信バス改訂を特定する。電池通信バスの改訂番号を交換した後、マイクロコントローラ１０９、１１４は、電子装置１０２と電池１０３の両方によって支持された共通通信標準を使用することができる。これゆえ、電子装置１０２と電池との間の通信は、たとえこれらのうちの一方のみが他よりも新しい通信標準だけを支持しても、行うことができる。
【手続補正２０】
【補正対象書類名】明細書
【補正対象項目名】００４３
【補正方法】変更
【補正の内容】
【００４３】
ダイナミック識別番号は、通信目的に使用される。電子装置１０２は、電池１０３のメモリ１１６と電子装置１０２のメモリの両方内の与えられたダイナミック識別番号を記憶するように構成されている。ダイナミック識別番号は、電池１０３が電子装置１０２に接続されているとき記憶されることがあるが、しかし電池１０３が電子装置１０２に接続されているならば任意の時刻にまた記憶され得る。
【手続補正２１】
【補正対象書類名】明細書
【補正対象項目名】００４４
【補正方法】変更
【補正の内容】
【００４４】
電池が電子装置１０２に接続されているとき、ダイナミック識別番号は電池１０３から電子装置１０２へ伝送される。この後、電池１０３からのダイナミック識別番号は電子装置１０２に記憶された１つ以上のダイナミック識別番号と比較される。電池のダイナミック識別番号が電子装置１０２からのダイナミック識別番号と一致しないならば、それは電池が他の機器によって使用されていたか又は電池が全く新しい電池であるかもしれないことを意味する。したがって、電子装置１０２は電池の状態に関する現在情報を有せず、かつ電子装置は電池１０３から情報、例えば、電池１０３の現在残っている容量に関する情報を検索することになる。他方、電池のダイナミック識別番号が電子装置１０２からのダイナミック識別番号と一致するならば、電池は他の機器によって使用されておらず、かつ電子装置は電池から検索された情報の代わりに電子装置に記憶された電池についての情報を使用してよい。電子装置１０２からの情報又は電池１０３からの情報を使用するかどうかは、電池１０３に記憶された他の情報、例えば、電池が電子装置から切断されて以来再充電されたかどうか表示する情報に依存する。再充電されているならば、移動電話は電池から電池容量を検索する。再充電されていないならば、移動電話は、代わりに電池容量についての先に記憶された内部情報を使用する。電池からの情報の代わりに内部記憶情報を使用する方が注目される理由は、電子装置はより大きな利用可能メモリのゆえにより高い分解能で情報を記憶することが普通できるということである。
【手続補正２２】
【補正対象書類名】明細書
【補正対象項目名】００４６
【補正方法】変更
【補正の内容】
【００４６】
誤り処理は、コマンド及びデータに使用されるエコーイング（ｅｃｈｏｉｎｇ）機構、すなわち、コマンド及びデータに関連した再伝送に本質的に基づいている。図４を参照すると、第１バイト４０１は、電子装置１０２によって電池１０３へ伝送されることがある。バイト４０１が電池１０３によって受信されると、そのバイトは、電池１０３から電子装置１０２へのバイト４０２として再伝送される。バイト４０２が電子装置１０２に受信されると、バイト４０２は初めに送信されたバイト４０１と比較される。バイト４０１と４０２が一致しないならば、誤りが検出される。
【手続補正２３】
【補正対象書類名】明細書
【補正対象項目名】００４８
【補正方法】変更
【補正の内容】
【００４８】
上述の誤り検出を電池１０３から電子装置１０２へ伝送されたバイトについてもまた遂行することができることに留意すべきである。
【手続補正２４】
【補正対象書類名】明細書
【補正対象項目名】００４９
【補正方法】変更
【補正の内容】
【００４９】
本発明の好適実施の形態を説明しかつ図示したが、本発明はそれに限定されるのではなく、上述の特許請求の範囲に定められた主題の範囲内の他のやり方で実施されうる。